【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
ビデオ情報をコード化するように構成された装置であって、
拡張レイヤとベースレイヤとに関連付けられたビデオデータを記憶するように構成されたメモリと、前記拡張レイヤが現在ブロックを有する、
前記メモリと通信しているプロセッサと、前記プロセッサは、
前記ベースレイヤのクロップトベースレイヤピクチャを取得することと、ここにおいて、前記クロップトベースレイヤピクチャが、前記ベースレイヤのコード化されたベースレイヤピクチャのクロップト部分を備え、前記コード化されたベースレイヤピクチャは、前記現在ブロックに対応するベースレイヤブロックを有し、前記ベースレイヤブロックの少なくとも一部分は、前記クロップトベースレイヤピクチャの外側にあり、前記クロップト部分の外側にある前記ベースレイヤブロックの前記一部分は、前記現在ブロックをコード化するために前記プロセッサに利用可能でない、
前記クロップト部分の外側にある前記ベースレイヤブロックの前記一部分に基づくのではなく、前記クロップトベースレイヤピクチャに基づいて前記現在ブロックをコード化することと、
を行うように構成される、
を備える、装置。
【請求項２】
前記プロセッサは、
前記ベースレイヤ中の前記ベースレイヤブロックに最も近い隣接ブロックから導出された情報に基づいて前記現在ブロックをコード化することと、前記隣接ブロックが前記クロップトベースレイヤピクチャ内に配置される、
を行うように更に構成される、請求項１に記載の装置。
【請求項３】
前記プロセッサは、前記ベースレイヤブロックの座標情報を前記クロップトベースレイヤピクチャの範囲にクリッピングするように更に構成される、請求項１に記載の装置。
【請求項４】
前記プロセッサは、前記現在ブロックをコード化するために使用されるべきベースレイヤブロックを決定するための位置マッピングプロセスより前に、前記現在ブロックの座標情報を前記クロップトベースレイヤピクチャの範囲にクリッピングするように更に構成される、請求項１に記載の装置。
【請求項５】
前記プロセッサは、
パディングされたクロップトベースレイヤピクチャが前記コード化されたベースレイヤピクチャと同じサイズを有するように、前記クロップトベースレイヤピクチャをパディングすることと、
アップサンプリングされた前記パディングされたクロップトベースレイヤピクチャが、前記現在ブロックを含んでいる拡張レイヤピクチャと同じサイズを有するように、前記パディングされたクロップトベースレイヤピクチャをアップサンプリングすることと、
前記アップサンプリングされ、パディングされたクロップトベースレイヤピクチャに基づいて前記現在ブロックをコード化することと、
を行うように更に構成される、請求項１に記載の装置。
【請求項６】
前記プロセッサは、
前記ベースレイヤブロックが前記クロップトベースレイヤピクチャの外側にあるかどうかを決定することと、
前記ベースレイヤブロックが前記クロップトベースレイヤピクチャの外側にあることの決定に応答して、前記現在ブロックについてシンタックス要素及び残差情報のレイヤ間予測を無効にすることと、
を行うように更に構成される、請求項１に記載の装置。
【請求項７】
前記プロセッサは、
前記ベースレイヤブロックが前記クロップトベースレイヤピクチャの外側にあるかどうかを決定することと、
前記ベースレイヤブロックが前記クロップトベースレイヤピクチャの外側にあることの決定に応答して、前記現在ブロックのレイヤ間予測のためにデフォルトシンタックス要素を使用することと、
を行うように更に構成される、請求項１に記載の装置。
【請求項８】
前記プロセッサは、
前記ベースレイヤブロックが前記クロップトベースレイヤピクチャの外側にあるかどうかを決定することと、
前記ベースレイヤブロックが前記クロップトベースレイヤピクチャの外側にあることの決定に応答して、前記現在ブロックのレイヤ間予測のために前記隣接ブロックのシンタックス要素を使用することと、
を行うように更に構成される、請求項２に記載の装置。
【請求項９】
前記拡張レイヤの最小コード化単位（ＳＣＵ）サイズが前記ベースレイヤのＳＣＵサイズとは異なる、請求項１に記載の装置。
【請求項１０】
前記拡張レイヤの各ピクチャ境界の境界パディングサイズが、前記ベースレイヤの各対応するピクチャ境界の境界パディングサイズとは異なる、請求項１に記載の装置。
【請求項１１】
ビデオ情報を符号化する方法であって、前記方法は、
ベースレイヤのクロップトベースレイヤピクチャを取得することと、ここにおいて、前記クロップトベースレイヤピクチャが、前記ベースレイヤのコード化されたベースレイヤピクチャのクロップト部分を備え、前記コード化されたベースレイヤピクチャは、拡張レイヤ中の現在ブロックに対応するベースレイヤブロックを有し、前記ベースレイヤブロックの少なくとも一部分は、前記クロップトベースレイヤピクチャの外側にあり、前記クロップト部分の外側にある前記ベースレイヤブロックの前記一部分は、前記現在ブロックを符号化するために利用不可能である、
前記クロップト部分の外側にある前記ベースレイヤブロックの前記一部分に基づくのではなく、前記クロップトベースレイヤピクチャに基づいて前記現在ブロックを符号化することと、
を備える、方法。
【請求項１２】
前記ベースレイヤ中の前記ベースレイヤブロックに最も近い隣接ブロックから導出された情報に基づいて前記現在ブロックを符号化することと、前記隣接ブロックが前記クロップトベースレイヤピクチャ内に配置される、
を更に備える、請求項１１に記載の方法。
【請求項１３】
前記ベースレイヤブロックの座標情報を前記クロップトベースレイヤピクチャの範囲にクリッピングすることを更に備える、請求項１１に記載の方法。
【請求項１４】
前記現在ブロックの座標情報を前記クロップトベースレイヤピクチャの範囲にクリッピングすることと、
前記現在ブロックのクリッピングされた前記座標情報に基づいて、前記現在ブロックを符号化するために使用されるべきベースレイヤブロックを決定するために位置マッピングプロセスを行うことと、
を更に備える、請求項１１に記載の方法。
【請求項１５】
パディングされたクロップトベースレイヤピクチャが前記コード化されたベースレイヤピクチャと同じサイズを有するように、前記クロップトベースレイヤピクチャをパディングすることと、
アップサンプリングされたパディングされたクロップトベースレイヤピクチャが、前記現在ブロックを含んでいる拡張レイヤピクチャと同じサイズを有するように、前記パディングされたクロップトベースレイヤピクチャをアップサンプリングすることと、
前記アップサンプリングされ、パディングされたクロップトベースレイヤピクチャに基づいて前記現在ブロックを符号化することと、
を更に備える、請求項１１に記載の方法。
【請求項１６】
前記ベースレイヤブロックが前記クロップトベースレイヤピクチャの外側にあるかどうかを決定することと、
前記ベースレイヤブロックが前記クロップトベースレイヤピクチャの外側にあると決定したことに応答して、前記現在ブロックについてシンタックス要素及び残差情報のレイヤ間予測を無効にすることとを更に備える、請求項１１に記載の方法。
【請求項１７】
前記ベースレイヤブロックが前記クロップトベースレイヤピクチャの外側にあるかどうかを決定することと、
前記ベースレイヤブロックが前記クロップトベースレイヤピクチャの外側にあると決定したことに応答して、前記現在ブロックのレイヤ間予測のためにデフォルトシンタックス要素を使用することとを更に備える、請求項１１に記載の方法。
【請求項１８】
前記ベースレイヤブロックが前記クロップトベースレイヤピクチャの外側にあるかどうかを決定することと、
前記ベースレイヤブロックが前記クロップトベースレイヤピクチャの外側にあると決定したことに応答して、前記現在ブロックのレイヤ間予測のために前記隣接ブロックのシンタックス要素を使用することとを更に備える、請求項１２に記載の方法。
【請求項１９】
前記拡張レイヤの最小コード化単位（ＳＣＵ）サイズが前記ベースレイヤのＳＣＵサイズとは異なる、請求項１１に記載の方法。
【請求項２０】
前記拡張レイヤの各ピクチャ境界の境界パディングサイズが、前記ベースレイヤの各対応するピクチャ境界の境界パディングサイズとは異なる、請求項１１に記載の方法。
【請求項２１】
ビデオ情報を復号する方法であって、前記方法は、
符号化ビデオビットストリームから抽出されたシンタックス要素を受信することと、ここにおいて、前記シンタックス要素が、拡張レイヤとベースレイヤとに関連付けられたビデオデータを備え、前記拡張レイヤが現在ブロックを有する、
前記ベースレイヤのクロップトベースレイヤピクチャを取得することと、ここにおいて、前記クロップトベースレイヤピクチャが、前記ベースレイヤのコード化されたベースレイヤピクチャのクロップト部分を備え、前記コード化されたベースレイヤピクチャは、前記現在ブロックに対応するベースレイヤブロックを有し、前記ベースレイヤブロックの少なくとも一部分は、前記クロップトベースレイヤピクチャの外側にあり、前記クロップト部分の外側にある前記ベースレイヤブロックの前記一部分は、前記現在ブロックを符号化するために利用可能でない、
前記クロップト部分の外側にある前記ベースレイヤブロックの前記一部分に基づくのではなく、前記クロップトベースレイヤピクチャに基づいて前記拡張レイヤの前記現在ブロックを復号することと、
を備える、方法。
【請求項２２】
前記ベースレイヤブロックに最も近い隣接ブロックから導出された情報に基づいて前記現在ブロックを復号することと、前記隣接ブロックが前記クロップトベースレイヤピクチャ内に配置される、
を更に備える、請求項２１に記載の方法。
【請求項２３】
前記ベースレイヤブロックの座標情報を前記クロップトベースレイヤピクチャの範囲にクリッピングすることを更に備える、請求項２１に記載の方法。
【請求項２４】
前記現在ブロックの座標情報を前記クロップトベースレイヤピクチャの範囲にクリッピングすることと、
前記現在ブロックのクリッピングされた前記座標情報に基づいて、前記現在ブロックを復号するために使用されるべき前記ベースレイヤブロックを決定するために位置マッピングプロセスを行うことと、
を更に備える、請求項２１に記載の方法。
【請求項２５】
パディングされたクロップトベースレイヤピクチャが前記コード化されたベースレイヤピクチャと同じサイズを有するように、前記クロップトベースレイヤピクチャをパディングすることと、
アップサンプリングされ、パディングされたクロップトベースレイヤピクチャが、前記現在ブロックを含んでいる拡張レイヤピクチャと同じサイズを有するように、前記パディングされたクロップトベースレイヤピクチャをアップサンプリングすることと、
前記アップサンプリングされ、パディングされたクロップトベースレイヤピクチャに基づいて前記現在ブロックを復号することと、
を更に備える、請求項２１に記載の方法。
【請求項２６】
前記ベースレイヤブロックが前記クロップトベースレイヤピクチャの外側にあるかどうかを決定することと、
前記ベースレイヤブロックが前記クロップトベースレイヤピクチャの外側にあると決定したことに応答して、前記現在ブロックについてシンタックス要素及び残差情報のレイヤ間予測を無効にすることとを更に備える、請求項２１に記載の方法。
【請求項２７】
前記ベースレイヤブロックが前記クロップトベースレイヤピクチャの外側にあるかどうかを決定することと、
前記ベースレイヤブロックが前記クロップトベースレイヤピクチャの外側にあると決定したことに応答して、前記現在ブロックのレイヤ間予測のためにデフォルトシンタックス要素を使用することとを更に備える、請求項２１に記載の方法。
【請求項２８】
前記ベースレイヤブロックが前記クロップトベースレイヤピクチャの外側にあるかどうかを決定することと、
前記ベースレイヤブロックが前記クロップトベースレイヤピクチャの外側にあると決定したことに応答して、前記現在ブロックのレイヤ間予測のために前記隣接ブロックのシンタックス要素を使用することとを更に備える、請求項２２に記載の方法。
【請求項２９】
前記拡張レイヤの最小コード化単位（ＳＣＵ）サイズが前記ベースレイヤのＳＣＵサイズとは異なる、請求項２１に記載の方法。
【請求項３０】
前記拡張レイヤの各ピクチャ境界の境界パディングサイズが、前記ベースレイヤの各対応するピクチャ境界の境界パディングサイズとは異なる、請求項２１に記載の方法。
【請求項３１】
実行されたとき、装置に、
拡張レイヤとベースレイヤとに関連付けられたビデオデータを記憶させ、前記拡張レイヤが現在ブロックを有する、
前記ベースレイヤのクロップトベースレイヤピクチャを取得させ、ここにおいて、前記クロップトベースレイヤピクチャが、前記ベースレイヤのコード化されたベースレイヤピクチャのクロップト部分を備え、前記コード化されたベースレイヤピクチャは、前記現在ブロックに対応するベースレイヤブロックを有し、前記ベースレイヤブロックの少なくとも一部分は、前記クロップトベースレイヤピクチャの外側にあり、前記クロップト部分の外側にある前記ベースレイヤブロックの前記一部分は、前記現在ブロックを符号化するために利用可能でない、
前記クロップト部分の外側にある前記ベースレイヤブロックの前記一部分に基づくのではなく、前記クロップトベースレイヤピクチャに基づいて前記現在ブロックをコード化させるコードを備える、コンピュータ可読記憶媒体。
【請求項３２】
前記コードは更に、前記装置に、
前記ベースレイヤブロックに最も近い隣接ブロックから導出された情報に基づいて前記現在ブロックをコード化させ、前記隣接ブロックが前記クロップトベースレイヤピクチャ内に配置される、請求項３１に記載の媒体。
【請求項３３】
前記コードは更に、前記装置に、
前記ベースレイヤブロックの座標情報を前記クロップトベースレイヤピクチャの範囲にクリッピングさせる、請求項３１に記載の媒体。
【請求項３４】
ビデオ情報をコード化するように構成されるビデオコード化装置であって、前記ビデオコード化装置は、
拡張レイヤとベースレイヤとに関連付けられたビデオデータを記憶するための手段と、前記拡張レイヤが現在ブロックを有する、
前記ベースレイヤのクロップトベースレイヤピクチャを取得するための手段と、ここにおいて、前記クロップトベースレイヤピクチャが、前記ベースレイヤのコード化されたベースレイヤピクチャのクロップト部分を備え、前記コード化されたベースレイヤピクチャは、前記現在ブロックに対応するベースレイヤブロックを有し、前記ベースレイヤブロックの少なくとも一部分は、前記クロップトベースレイヤピクチャの外側にあり、前記クロップト部分の外側にある前記ベースレイヤブロックの前記一部分は、前記現在ブロックを符号化するために利用可能でない、
前記クロップト部分の外側にある前記ベースレイヤブロックの前記一部分に基づくのではなく、前記クロップトベースレイヤピクチャに基づいて前記現在ブロックをコード化するための手段と、
を備える、ビデオコード化装置。
【請求項３５】
前記現在ブロックをコード化するための前記手段が、前記ベースレイヤブロックに最も近い隣接ブロックから導出された情報に基づいて前記現在ブロックをコード化するように構成され、前記隣接ブロックが前記クロップトベースレイヤピクチャ内に配置される、請求項３４に記載の装置。
【請求項３６】
前記ベースレイヤブロックの座標情報を前記クロップトベースレイヤピクチャの範囲にクリッピングするための手段を更に備える、請求項３４に記載の装置。